(57)【要約】【課題】飲食物品が適温とされる温度範囲内にある状態で遊技者まで搬送することが可能な物品提供装置を提供する。【解決手段】遊技場に設けられる物品提供装置１００において、遊技島１０の長手方向に複数設けられ、遊技者からの飲食物品の注文を受け付ける注文受付部２０と、注文受付部毎に設けられ、注文した飲食物品を遊技者が取り出すための取出口５３を有する物品供給部５０と、飲食物品を貯蔵して温度管理を行うとともに、注文を受け付けた飲食物品を払い出す物品貯蔵部３０と、払い出された飲食物品を注文を受け付けた注文受付部２０に対応する物品供給部５０まで搬送する物品搬送部４０と、物品搬送部４０の搬送経路周辺の大気温度を検出する温度検出部４５と、検出された温度に基づいて搬送中の飲料の温度変化が生じやすい温度であると判定した場合に、注文受付部２０からの飲食物品の注文を制限する注文制限部２００と、を備えることを特徴とする。【選択図】図１
2011078494.tif 000002
【特許請求の範囲】
【請求項１】
遊技機が複数配列された遊技島を有する遊技場に設けられ、遊技者の注文に基づいて遊技者に飲食物品を提供する物品提供装置において、
前記遊技島の長手方向に沿って複数設けられ、遊技者からの飲食物品の注文を受け付ける注文受付部と、
前記注文受付部毎に設けられ、注文した飲食物品を遊技者が取り出すための取出口を有する物品供給部と、
飲食物品を貯蔵して温度管理を行うとともに、前記注文受付部によって注文を受け付けた飲食物品を払い出す物品貯蔵部と、
前記物品貯蔵部により払い出された飲食物品を、注文を受け付けた前記注文受付部に対応する前記物品供給部まで搬送する物品搬送部と、
前記物品搬送部の搬送経路周辺の大気温度を検出する温度検出部と、
前記温度検出部により検出された温度に基づいて、搬送中の飲料の温度変化が生じやすい温度であると判定した場合に、前記注文受付部からの飲食物品の注文を制限する注文制限部と、
を備えることを特徴とする物品提供装置。
【請求項２】
前記注文制限部は、前記温度検出部により検出された温度に基づいて、搬送中における飲食物品の温度変化が予め設定された許容値の範囲内となる搬送範囲を設定し、当該搬送範囲に含まれない位置における前記注文受付部からの飲食物品の注文を制限することを特徴とする請求項１に記載の物品提供装置。
【請求項３】
前記注文制限部は、前記温度検出部により検出された温度に基づいて、搬送時間が長い前記注文受付部から順に飲食物品の注文を制限するように前記搬送範囲を設定することを特徴とする請求項２に記載の物品提供装置。
【請求項４】
前記注文制限部は、飲食物品の種類に応じて前記搬送範囲を設定することを特徴とする請求項３に記載の物品提供装置。
【請求項５】
前記注文制限部は、飲食物品が室温よりも低い温度で保管される冷飲食物品である場合には前記温度検出部により検出された温度が高くなるほど前記搬送範囲を狭く設定し、飲食物品が室温よりも高い温度で保管される温飲食物品である場合には前記温度検出部により検出された温度が低くなるほど前記搬送範囲を狭く設定することを特徴とする請求項４に記載の物品提供装置。
【請求項６】
前記物品貯蔵部は、第１物品貯蔵部と第２物品貯蔵部とを備え、
前記物品搬送部は、前記第１物品貯蔵部から払い出された飲食物品を前記遊技島の長手方向一側の第１搬送エリア内の前記物品供給部まで搬送する第１物品搬送部と、前記第２物品貯蔵部から払い出された飲食物品を前記遊技島の長手方向他側の第２搬送エリア内の前記物品供給部まで搬送する第２物品搬送部とを備え、
前記温度検出部は、前記第１搬送エリアにおける大気温度を検出する第１温度検出部と、前記第２搬送エリアにおける大気温度を検出する第２温度検出部とを備え、
前記注文制限部は、前記第１温度検出部及び前記第２温度検出部により検出された温度に基づいて前記第１搬送エリア及び前記第２搬送エリアにおける搬送範囲をそれぞれ設定するとともに、前記第１搬送エリア及び前記第２搬送エリアのうちの一方の搬送エリアの温度が搬送中の飲料の温度変化が生じやすい温度であると判定し、他方の搬送エリアが搬送中の飲料の温度変化が生じやすい温度でないと判定した場合には、一方の搬送エリアにおける搬送範囲を狭く設定し、他方の搬送エリアにおける搬送範囲を、一方の搬送エリアにおいて搬送範囲外となった範囲の少なくとも一部を補うように広く設定することを特徴とする請求項２〜５のいずれか１つに記載の物品提供装置。
【発明の詳細な説明】
【技術分野】
【０００１】
本発明は、遊技場に設けられる物品提供装置に関する。
【背景技術】
【０００２】
遊技場には複数の遊技機（パチンコ機）を長手方向に並べた状態で配置する遊技島が設けられており、遊技者は、遊技島に設置された遊技機で遊技を行ったり、必要に応じて現金や遊技により獲得した遊技媒体（遊技球）を用いて遊技場内に設置された自動販売機等でジュース等の飲食物品を購入したりする。近年では獲得した遊技媒体を貯留価値として遊技場に預け入れることが可能な遊技システムが普及しており、遊技者は貯留価値と飲食物品とを交換することもできる。
【０００３】
しかしながら、遊技者が、自動販売機等で飲食物品を購入したり、貯留価値と飲食物品とを交換したりする場合には、遊技機から一旦離れることになり、遊技機の稼働率が低下してしまう。
【０００４】
そこで、飲食物品を注文するためのオーダー端末装置を遊技機に対応させて配設し、このオーダー端末装置により注文された飲食物品を発注者である遊技者のところまで搬送することで、遊技者が遊技機から離れなくても飲食物品を購入することが可能な物品提供装置が提案されている（例えば、特許文献１）。
【先行技術文献】
【特許文献】
【０００５】
【特許文献１】特開平１０−３３８００号公報
【発明の概要】
【発明が解決しようとする課題】
【０００６】
しかしながら、特許文献１に記載の物品提供装置では、注文された飲食物品が物品ストッカーから払い出され、その後遊技者のところまで搬送される間にある程度の時間がかかり、遊技場内（搬送経路）の温度の影響を受けて飲食物品の温度が変化してしまう。そのため、物品ストッカーにおいて飲食物品を適温に保っていたとしても、遊技者の手元に届く頃には適温ではなくなる可能性があり、購入した飲食物品に対して遊技者が不満を抱くおそれがある。
【０００７】
そこで、本発明は上記した問題点に鑑みてなされたものであり、飲食物品が適温とされる温度範囲内にある状態でオーダー元の遊技者まで搬送することが可能な物品提供装置を提供することを目的とする。
【課題を解決するための手段】
【０００８】
第１の発明は、遊技機が複数配列された遊技島を有する遊技場に設けられ、遊技者の注文に基づいて遊技者に飲食物品を提供する物品提供装置において、前記遊技島の長手方向に沿って複数設けられ、遊技者からの飲食物品の注文を受け付ける注文受付部と、前記注文受付部毎に設けられ、注文した飲食物品を遊技者が取り出すための取出口を有する物品供給部と、飲食物品を貯蔵して温度管理を行うとともに、前記注文受付部によって注文を受け付けた飲食物品を払い出す物品貯蔵部と、前記物品貯蔵部により払い出された飲食物品を、注文を受け付けた前記注文受付部に対応する前記物品供給部まで搬送する物品搬送部と、前記物品搬送部の搬送経路周辺の大気温度を検出する温度検出部と、前記温度検出部により検出された温度に基づいて、搬送中の飲料の温度変化が生じやすい温度であると判定した場合に、前記注文受付部からの飲食物品の注文を制限する注文制限部と、を備えることを特徴とする。
【０００９】
第２の発明は、第１の発明において、前記注文制限部は、前記温度検出部により検出された温度に基づいて、搬送中における飲食物品の温度変化が予め設定された許容値の範囲内となる搬送範囲を設定し、当該搬送範囲に含まれない位置における前記注文受付部からの飲食物品の注文を制限することを特徴とする。
【００１０】
第３の発明は、第２の発明において、前記注文制限部は、前記温度検出部により検出された温度に基づいて、搬送時間が長い前記注文受付部から順に飲食物品の注文を制限するように搬送範囲を設定することを特徴とする。
【００１１】
第４の発明は、第３の発明において、前記注文制限部は、飲食物品の種類に応じて前記搬送範囲を設定することを特徴とする。
【００１２】
第５の発明は、第４の発明において、前記注文制限部は、飲食物品が室温よりも低い温度で保管される冷飲食物品である場合には前記温度検出部により検出された温度が高くなるほど前記搬送範囲を狭く設定し、飲食物品が室温よりも高い温度で保管される温飲食物品である場合には前記温度検出部により検出された温度が低くなるほど前記搬送範囲を狭く設定することを特徴とする。
【００１３】
第６の発明は、第２〜第５の発明において、前記物品貯蔵部は、第１物品貯蔵部と第２物品貯蔵部とを備え、前記物品搬送部は、前記第１物品貯蔵部から払い出された飲食物品を前記遊技島の長手方向一側の第１搬送エリア内の前記物品供給部まで搬送する第１物品搬送部と、前記第２物品貯蔵部から払い出された飲食物品を前記遊技島の長手方向他側の第２搬送エリア内の前記物品供給部まで搬送する第２物品搬送部とを備え、前記温度検出部は、前記第１搬送エリアにおける大気温度を検出する第１温度検出部と、前記第２搬送エリアにおける大気温度を検出する第２温度検出部とを備え、前記注文制限部は、前記第１温度検出部及び前記第２温度検出部により検出された温度に基づいて前記第１搬送エリア及び前記第２搬送エリアにおける搬送範囲をそれぞれ設定するとともに、前記第１搬送エリア及び前記第２搬送エリアのうちの一方の搬送エリアの温度が搬送中の飲料の温度変化が生じやすい温度であると判定し、他方の搬送エリアが搬送中の飲料の温度変化が生じやすい温度でないと判定した場合には、一方の搬送エリアにおける搬送範囲を狭く設定し、他方の搬送エリアにおける搬送範囲を、一方の搬送エリアにおいて搬送範囲外となった範囲の少なくとも一部を補うように広く設定することを特徴とする。
【発明の効果】
【００１４】
第１の発明によれば、温度検出部により検出された温度に基づいて搬送中の飲料の温度変化が生じやすい温度であると判定した場合に、注文受付部からの飲食物品の注文を制限するので、飲食物品が適温とされる温度範囲内にある状態でオーダー元の遊技者まで搬送すること（搬送中における飲食物品の温度を極力変化させない状態で提供すること）が可能となる。
【００１５】
第２の発明によれば、温度検出部により検出された温度に基づいて搬送中における飲食物品の温度変化が予め設定された許容値の範囲内となる搬送範囲を設定し、搬送範囲に含まれない位置における注文受付部からの飲食物品の注文を制限するので、搬送中における飲料の温度変化を抑制することが可能となる。
【００１６】
第３の発明によれば、温度検出部により検出された温度に基づいて、搬送時間が長くなる位置における注文受付部から順に飲食物品の注文を制限するように搬送範囲を設定するので、搬送中における飲料の温度変化の抑制効果を高めることが可能となる。
【００１７】
第４の発明によれば、飲食物品の種類に応じて搬送範囲を設定するので、飲食物品毎に搬送時の温度変化を抑制することが可能となる。
【００１８】
第５の発明によれば、飲食物品が冷飲食物品である場合には温度検出部により検出された温度が高くなるほど搬送範囲を狭く設定し、飲食物品が温飲食物品である場合には温度検出部により検出された温度が低くなるほど搬送範囲を狭く設定するので、搬送中における、冷飲食物品の温度上昇及び温飲食物品の温度低下を抑制することが可能となる。
【００１９】
第６の発明によれば、一方の搬送エリアの温度が搬送中の飲料の温度変化が生じやすい温度であると判定し、他方の搬送エリアが搬送中の飲料の温度変化が生じやすい温度でないと判定した場合には、一方の搬送エリアにおける搬送範囲を狭く設定し、他方の搬送エリアにおける搬送範囲を、一方の搬送エリアにおいて搬送範囲外となった範囲の少なくとも一部を補うように広く設定するので、搬送中における飲料の温度変化を抑制することが可能となるだけでなく、飲料の注文が制限されるオーダー端末装置の数を可能な限り少なくすることが可能となる。
【図面の簡単な説明】
【００２０】
【図１】遊技場に設置される物品提供装置の斜視図である。
【図２】物品ストッカー近傍における物品提供装置の拡大斜視図である。
【図３】遊技島の長手方向中央における物品提供装置の拡大斜視図である。
【図４】物品提供装置等を管理する遊技システムのシステム構成を示す図である。
【図５】総合管理装置の構成を示すブロック図である。
【図６】会員管理装置の構成を示すブロック図である。
【図７】搬送制御装置の構成を示すブロック図である。
【図８】物品ストッカーの構成を示すブロック図である。
【図９】オーダー端末装置の構成を示すブロック図である。
【図１０】総合管理装置で実行される物品提供装置の通常処理のフローチャートである。
【図１１】総合管理装置で実行される割込処理のフローチャートである。
【図１２】物品受注処理に関するシーケンス図である。
【図１３】物品搬送処理に関するシーケンス図である。
【図１４】総合管理装置で実行される搬送範囲設定処理のフローチャートである。
【図１５】飲料種類別に搬送範囲を設定するための設定テーブルである。
【図１６】各オーダー端末装置で実行されるオーダー受付設定処理のフローチャートである。
【図１７】物品提供装置のオーダー端末装置における注文受付状態について説明する図である。
【図１８】第１実施形態の物品提供装置の変形例を示す図である。
【図１９】第２実施形態の物品提供装置の概略構成図である。
【図２０】総合管理装置で実行される搬送範囲設定処理のフローチャートである。
【図２１】冷飲料用設定テーブル及び温飲料用設定テーブルについて説明する図である。
【図２２】物品提供装置のオーダー端末装置における注文受付状態について説明する図である。
【発明を実施するための形態】
【００２１】
（第１実施形態）
以下、図面を参照して、本発明の第１の実施形態について説明する。
【００２２】
図１〜図３を参照して、第１の実施形態の物品提供装置１００について説明する。図１は、遊技場に設置される物品提供装置１００の斜視図である。図２は、物品ストッカー３０近傍における物品提供装置１００の拡大斜視図である。図３は、遊技島１０の長手方向中央における物品提供装置１００の拡大斜視図である。
【００２３】
図１に示す物品提供装置１００は、遊技者が遊技機（パチンコ機）１から離れることなくジュース等の飲料を購入することが可能な装置であって、遊技場内に設置される。第１実施形態の物品提供装置１００は飲料を販売するが、アイスクリームやパン等の飲食物品を販売してもよい。
【００２４】
まず、遊技場内に配設される遊技島１０について説明し、その後に物品提供装置１００について説明する。
【００２５】
遊技場内には、複数の遊技機１を備えた遊技島１０が平行状態で複数設けられる。遊技機１は遊技島１０の長手方向に沿って配置されるとともに、遊技島１０の短手方向には２つの遊技機１がそれぞれ背面を合わせた背向状態で配置される。
【００２６】
遊技島１０の長手方向略中央の上部には、遊技媒体としての遊技球を貯留する上部タンク１１が設置される。図３に示すように、上部タンク１１には、貯留された遊技球を、遊技機１や遊技機１に併設され遊技球を貸し出すための球貸機（図示省略）へと供給する遊技球供給装置１２が配設される。
【００２７】
遊技球供給装置１２は、上流端が上部タンク１１の両側部に設けられた排出口１１ａに接続され、遊技島１０の長手方向端部に向かって下り傾斜する一対の補給樋１３を備える。補給樋１３には、転動する遊技球を各遊技機１や球貸機へと導く複数の補給シュート（図示省略）が複数配設される。
【００２８】
遊技球供給装置１２から遊技機１へと供給された遊技球は、遊技機１から賞球や貸球として遊技者に対して払い出される。払い出された遊技球は、遊技機１における遊技に使用されたり、遊技島１０に設置されたジェットカウンター（球計数機）に投入されたりして、遊技島１０の下部に配置された下部タンク（図示省略）に回収される。一方、遊技球供給装置１２から球貸機へと供給された遊技球は、遊技者が貯玉を使用する際に遊技者に対して払い出される。払い出された遊技球は、基本的に遊技機１における遊技に使用され、遊技機１から排出されて下部タンクに回収される。
【００２９】
下部タンクに回収された遊技球は、上部タンク１１の下方に設置された揚送装置１４によって上部タンク１１へと揚送される。遊技島１０の揚送装置１４の前面には、揚送装置１４の内部点検時や揚送する遊技球を研磨するための研磨布の交換時等に開閉される点検扉１５が配設される。
【００３０】
各遊技島１０の遊技球供給装置１２においては他の遊技島１０に貯留される遊技球に過不足が生じないように、隣接する遊技島１０の上部タンク１１同士をバランス樋１６を介して接続する（図１参照）。これにより、貯留している遊技球の量に余裕がある遊技島１０から遊技球が不足している遊技島１０の上部タンク１１に、バランス樋１６を介して遊技球を供給することができる。
【００３１】
上記の通り、遊技等で使用される遊技球は、遊技島１０内を循環するとともに、複数の遊技島１０間を往来する。
【００３２】
次に、図１及び図２を参照して、物品提供装置１００の詳細な構成について説明する。
【００３３】
物品提供装置１００は、遊技者からの飲料の注文を受け付けるオーダー端末装置（注文受付部）２０と、オーダー端末装置２０からの注文信号に基づいて貯蔵されている飲料を払い出す物品ストッカー（物品貯蔵部）３０と、払い出された飲料を搬送する搬送装置（物品搬送部）４０と、搬送された飲料を注文した遊技者に供給する供給通路（物品供給部）５０とを備える。
【００３４】
オーダー端末装置２０は、遊技島１０の上部であって、遊技島１０の長手方向に沿って複数設けられる。図２においては遊技島１０の長手方向に隣接する２台の遊技機１に対して１つのオーダー端末装置２０を配設したが、遊技機１毎にオーダー端末装置２０を配設してもよい。オーダー端末装置２０は、会員カードに記憶された貯留価値（遊技者が獲得して遊技場に預けている遊技球やメダルの数量）や電子マネー用カードに記憶された電子マネー等を用いて飲料を注文可能に構成されている。なお、オーダー端末装置２０は、現金を用いて遊技者からの飲料の注文を受け付けるように構成してもよい。
【００３５】
物品ストッカー３０は、遊技場内の事務室等、遊技者から見えにくい位置に設置される。物品ストッカー３０は、複数の飲料を貯蔵するとともに、冷飲料（室温よりも低い温度で保管される飲食物品）や温飲料（室温よりも高い温度で保管される飲食物品）を適温に保持して温度管理を行う。物品ストッカー３０は、貯蔵している飲料を払い出す払出装置を内蔵しており、オーダー端末装置２０からの注文信号に基づいて払出口３０ａから飲料を払い出す。払い出された飲料は、流下樋３０ｂを流下し、搬送装置４０の搬送コンベア４１上に移動する。
【００３６】
搬送装置４０は、物品ストッカー３０から払い出された飲料を、注文を受け付けたオーダー端末装置２０に対応して設けられる供給通路５０まで搬送する装置である。
【００３７】
搬送装置４０は、物品ストッカー３０から払い出された飲料を搬送する搬送コンベア４１を備える。搬送コンベア４１は水平方向に延設されており、搬送コンベア４１の端部は揚送装置４２の下部に接続する。揚送装置４２は、搬送コンベア４１によって搬送された飲料を上方に揚送する。搬送コンベア４１及び揚送装置４２は、遊技者から見えにくい位置であって、遊技場内の事務室等に配設される。
【００３８】
揚送装置４２の上部には、メイン搬送路４３が接続する。メイン搬送路４３は、遊技島１０の長手方向の端部において、遊技島１０の短手方向に亘って延設される通路である。メイン搬送路４３には、飲料を載置した状態で搬送するかご状の載置部４６（図１７参照）が配設される。メイン搬送路４３の載置部４６は、メイン搬送路４３に設置された無端状のチェーンが周回することによってメイン搬送路４３内を移動可能に構成されており、揚送装置４２によって揚送された飲料を搬送する。なお、メイン搬送路４３の載置部４６は、駆動モータを備えた自走式としてもよい。
【００３９】
メイン搬送路４３には、メイン搬送路４３から分岐する複数の分岐搬送路４４が配設される。これら分岐搬送路４４は各遊技島１０の上部に設けられ、遊技島１０の長手方向に亘って延設される通路である。分岐搬送路４４は、補給樋１３と平行に設けられる（図３参照）。つまり、補給樋１３は遊技島１０の短手方向一側（点検扉設置側）に寄って配設され、分岐搬送路４４は遊技島１０の短手方向他側に寄って配設される。これにより、遊技島１０の上部におけるレイアウトを簡素化でき、分岐搬送路４４と補給樋１３との干渉を抑制することができる。
【００４０】
分岐搬送路４４には、飲料を載置した状態で搬送するかご状の載置部４７（図１７参照）が配設される。分岐搬送路４４の載置部４７は、分岐搬送路４４に設置された無端状のチェーンが周回することによって分岐搬送路４４内を移動可能に構成されており、メイン搬送路４３の載置部４６から受け渡された飲料を、注文を受け付けたオーダー端末装置２０に対応する供給通路５０まで搬送する。なお、分岐搬送路４４の載置部４７は、駆動モータを備えた自走式としてもよい。
【００４１】
図１に示すように、複数の分岐搬送路４４のうち遊技場の略中央位置に配設された分岐搬送路４４（３つの分岐搬送路４４のうち中央の分岐搬送路４４）には、搬送路内若しくは搬送路周辺における大気温度を検出するための温度検出装置（温度検出部）４５が設けられる。物品提供装置１００では、温度検出装置４５によって検出された温度情報に基づいて、飲料毎（冷飲料・温飲料）に搬送範囲が設定される。
【００４２】
供給通路５０は、搬送装置４０によって搬送された飲料を遊技者の手元に導く通路である。供給通路５０は、遊技島１０の短手方向両側に配設されるとともに、オーダー端末装置２０毎に設けられる。
【００４３】
図２及び図３に示すように、供給通路５０は、搬送装置４０の分岐搬送路４４から分岐する分岐供給通路５１を備える。分岐供給通路５１は下り傾斜して形成された通路であって、下流端は流下通路５２の上部に接続する。分岐供給通路５１は、分岐搬送路４４の載置部４７から受け渡される飲料を流下通路５２に向かって流下させる。なお、遊技島１０の短手方向一側（点検扉設置側）に配設される供給通路５０においては、分岐供給通路５１は補給樋１３の上方を横切るように形成される（図３参照）。
【００４４】
分岐供給通路５１が接続する流下通路５２は、遊技島１０の上下方向に延設された通路であって、分岐供給通路５１からの飲料を流下させる。流下通路５２の下流端には、遊技者が飲料を取り出すための取出口５３が形成される。流下通路５２は、通過する飲料の流下速度が減速するように蛇行した通路として形成されるため、取出口５３から飲料が飛び出したり飲料が破損したりすることを抑制できる。
【００４５】
取出口５３は、隣接する２台の遊技機１に対して１つ設けられ、オーダー端末装置２０の上部に配置される。したがって、隣り合って遊技を行う遊技者は、共通の取出口５３から飲料を取り出すことになる。
【００４６】
上記のように構成される物品提供装置１００では、遊技者がオーダー端末装置２０によって飲料を注文すると、注文された飲料が物品ストッカー３０から払い出され、払い出された飲料は搬送装置４０の搬送コンベア４１によって搬送される。搬送コンベア４１によって搬送された飲料は、揚送装置４２によって揚送され、メイン搬送路４３の載置部４６に受け渡される。メイン搬送路４３の載置部４６は、注文を受け付けたオーダー端末装置２０が配設されている遊技島１０まで移動して、その遊技島１０の分岐搬送路４４の載置部４７に飲料を受け渡す。分岐搬送路４４の載置部４７は、注文を受け付けたオーダー端末装置２０に対応する供給通路５０まで飲料を搬送し、供給通路５０の分岐供給通路５１に飲料を移動させる。分岐供給通路５１に移動した飲料は、流下通路５２を通過する際に減速されて取出口５３に導かれる。このように物品提供装置１００によれば、遊技者は、遊技機１から離れることなく所望の飲料を購入することが可能となる。
【００４７】
次に、図４を参照して、物品提供装置１００等を管理する遊技システムのシステム構成について説明する。
【００４８】
物品提供装置１００は、遊技場内に設置される総合管理装置（注文制限部）２００によって統括的に制御される。総合管理装置２００には、物品ストッカー３０と搬送装置４０を制御する搬送制御装置６０が接続するとともに、中継装置７１を介して各オーダー端末装置２０と温度検出装置４５が接続する。
【００４９】
オーダー端末装置２０は、飲料の注文状況等のオーダー情報を、中継装置７１を介して総合管理装置２００に出力する。
【００５０】
温度検出装置４５は、検出した大気温度等の温度情報を、中継装置７１を介して総合管理装置２００に出力する。
【００５１】
また、総合管理装置２００には、インターフェース装置７２を介して会員管理装置３００が接続する。
【００５２】
会員管理装置３００は、遊技者が所有する会員カードのカードＩＤと遊技者が獲得して遊技場に預け入れた遊技球やメダルの数量（貯留価値）とを対応付けて管理する。会員管理装置３００には、景品ＰＯＳ７３と残額精算機７４が接続するとともに、中継装置７５を介してジェットカウンター７６と各遊技用装置７７とが接続する。
【００５３】
景品ＰＯＳ７３は、遊技者の会員カードに記憶された貯留価値と引き換えに景品を交換するとともに、景品の在庫管理を行う。景品ＰＯＳ７３は、遊技者に関する情報を登録し、会員カードを発行する機能を備える。
【００５４】
残額精算機７４は、遊技者が所持する会員カードやワンデイカードに記憶されている有価価値（残額）を遊技者に払い戻す。
【００５５】
ジェットカウンター７６は、所定数の遊技球を計数した場合に計数情報を、中継装置７５を介して会員管理装置３００に出力する。
【００５６】
遊技用装置７７は、遊技機１と、現金等の有価価値や会員カードに記憶された貯留価値と引き換えに遊技球を貸し出す又は貸し出す制御を行う記憶媒体受付端末装置（カードユニット）２とから構成される（図３参照）。遊技用装置７７は、記憶媒体受付端末装置２が会員カード等の記憶媒体を受け付けた場合に会員カードに記憶されているカードＩＤを会員管理装置３００に出力し、記憶媒体受付端末装置２において所定数の遊技球が貸し出された場合に貸出情報を会員管理装置３００に出力する。また、遊技用装置７７は、記憶媒体受付端末装置２に貨幣が投入された場合には、貨幣の金額に応じた入金情報を会員管理装置３００に出力する。
【００５７】
図５〜図９を参照して、総合管理装置２００、会員管理装置３００、搬送制御装置６０、物品ストッカー３０、及びオーダー端末装置２０の構成について説明する。
【００５８】
図５は、総合管理装置２００の構成を示すブロック図である。
【００５９】
総合管理装置２００は、遊技場内に配置された各種装置を総合的に管理する装置である。総合管理装置２００は、ＣＰＵ２０１と、プログラム等を予め格納したＲＯＭ２０２と、ＣＰＵ２０１の動作時にワークエリアとして使用されるＲＡＭ２０３と、各種データを記憶するハードディスク等の記憶装置（ＨＤＤ）２０４とを備える。
【００６０】
これらＣＰＵ２０１、ＲＯＭ２０２、ＲＡＭ２０３、及びＨＤＤ２０４はバス２０５にそれぞれ接続している。バス２０５は、ＣＰＵ２０１がデータの読み書きのために使用するアドレスバス及びデータバスから構成される。バス２０５には、各種装置とデータ通信を行うための外部ネットワーク通信ポート２０６、内部ネットワーク通信ポート２０７、及びＩ／Ｏポート２０８が接続している。
【００６１】
総合管理装置２００は、外部ネットワーク通信ポート２０６を介して、外部管理装置２０９に接続する。外部管理装置２０９は、電子マネー用カードに記憶された電子マネーにおける入金情報や出金情報等をユーザーＩＤとともに管理する。
【００６２】
総合管理装置２００は、内部ネットワーク通信ポート２０７を介して、会員管理装置３００、搬送制御装置６０、物品ストッカー３０、オーダー端末装置２０、及び温度検出装置４５に接続する。
【００６３】
また、総合管理装置２００は、Ｉ／Ｏポート２０８を介して、入力装置２１０、出力装置２１１、及びＵＰＳ２１２に接続する。
【００６４】
入力装置２１０は、管理者等が総合管理装置２００にデータを入力するための装置であって、例えばマウス、キーボード等である。出力装置２１１は、種々の情報を表示する装置であって、例えばディスプレイ等である。ＵＰＳ２１２は、停電時に総合管理装置２００に電源を供給するバックアップ用電源装置である。
【００６５】
図６は、会員管理装置３００の構成を示すブロック図である。
【００６６】
会員管理装置３００は、会員カードのカードＩＤと獲得した遊技球の数量（貯留価値）とを対応させて管理する装置である。会員管理装置３００は、ＣＰＵ３０１と、プログラム等を予め格納したＲＯＭ３０２と、ＣＰＵ３０１の動作時にワークエリアとして使用されるＲＡＭ３０３と、各種データを記憶するハードディスク等の記憶装置（ＨＤＤ）３０４とを備える。
【００６７】
これらＣＰＵ３０１、ＲＯＭ３０２、ＲＡＭ３０３及びＨＤＤ３０４はバス３０５にそれぞれ接続している。バス３０５は、ＣＰＵ３０１がデータの読み書きのために使用するアドレスバス及びデータバスから構成される。バス３０５には、各種装置とデータ通信を行うためのネットワーク通信ポート３０６及びＩ／Ｏポート３０７が接続している。
【００６８】
会員管理装置３００は、ネットワーク通信ポート３０６を介して総合管理装置２００、景品ＰＯＳ７３、残額精算機７４、及び記憶媒体受付端末装置２に接続するとともに、Ｉ／Ｏポート３０７を介して入力装置３０８、出力装置３０９、及びＵＰＳ３１０に接続する。
【００６９】
入力装置３０８は、管理者等が会員管理装置３００にデータを入力するための装置であって、例えばマウス、キーボード等である。出力装置３０９は、種々の情報を表示する装置であって、例えばディスプレイ等である。ＵＰＳ３１０は、停電時に会員管理装置３００に電源を供給するバックアップ用電源装置である。
【００７０】
図７は、搬送制御装置６０の構成を示すブロック図である。
【００７１】
搬送制御装置６０は、搬送装置４０を制御する装置であって、ＣＰＵ６１と、プログラム等を予め格納したＲＯＭ６２と、ＣＰＵ６１の動作時にワークエリアとして使用されるＲＡＭ６３とを備える。
【００７２】
これらＣＰＵ６１、ＲＯＭ６２、及びＲＡＭ６３はバス６４にそれぞれ接続している。バス６４は、ＣＰＵ６１がデータの読み書きのために使用するアドレスバス及びデータバスから構成される。バス６４には、各種装置とデータ通信を行うためのネットワーク通信ポート６５及びＩ／Ｏポート６６が接続している。
【００７３】
搬送制御装置６０は、ネットワーク通信ポート６５を介して総合管理装置２００に接続するとともに、Ｉ／Ｏポート６６を介して搬送装置４０、位置検出センサ６７1〜６７N、物品検出センサ６８1〜６８N、及び報知機６９に接続する。
【００７４】
位置検出センサ６７1〜６７Nは、メイン搬送路４３及び分岐搬送路４４に沿って複数設けられ、メイン搬送路４３の載置部４６及び分岐搬送路４４の載置部４７の位置を検出する。
【００７５】
物品検出センサ６８1〜６８Nは、メイン搬送路４３及び分岐搬送路４４に沿って複数設けられ、メイン搬送路４３の載置部４６及び分岐搬送路４４の載置部４７に、注文された飲料が載置されているかを検出する。
【００７６】
報知機６９は、メイン搬送路４３や分岐搬送路４４の所定位置に設けられ、搬送装置４０において異常があった場合にブザー音等を出力する。
【００７７】
図８は、物品ストッカー３０の構成を示すブロック図である。
【００７８】
物品ストッカー３０は、複数の飲料を貯蔵するとともに注文された飲料を払い出す装置であって、ＣＰＵ３１と、プログラム等を予め格納したＲＯＭ３２と、ＣＰＵ３１の動作時にワークエリアとして使用されるＲＡＭ３３とを備える。
【００７９】
これらＣＰＵ３１、ＲＯＭ３２、及びＲＡＭ３３はバス３４にそれぞれ接続している。バス３４は、ＣＰＵ３１がデータの読み書きのために使用するアドレスバス及びデータバスから構成される。バス３４には、各種装置とデータ通信を行うためのネットワーク通信ポート６５及びＩ／Ｏポート６６が接続している。
【００８０】
物品ストッカー３０は、ネットワーク通信ポート３５を介して総合管理装置２００に接続するとともに、Ｉ／Ｏポート３６を介して払出装置３７、残数検出センサ３８1〜３８N、及び報知機３９に接続する。
【００８１】
払出装置３７は、物品ストッカー３０の内部に配設されており、物品ストッカー３０に貯蔵されている飲料を払出口３０ａ（図３参照）から払い出す。
【００８２】
残数検出センサ３８1〜３８Nは、飲料種別ごとに設けられ、物品ストッカー３０に貯蔵されている飲料の残数を検出する。
【００８３】
報知機３９は、物品ストッカー３０に設けられ、飲料の在庫切れや払出異常等があった場合にブザー音等を出力する。
【００８４】
図９は、オーダー端末装置２０の構成を示すブロック図である。
【００８５】
オーダー端末装置２０は、遊技者からの飲料の注文を受け付ける装置であって、ＣＰＵ２１と、プログラム等を予め格納したＲＯＭ２２と、ＣＰＵ２１の動作時にワークエリアとして使用されるＲＡＭ２３とを備える。
【００８６】
これらＣＰＵ２１、ＲＯＭ２２、及びＲＡＭ２３はバス２４にそれぞれ接続している。バス２４は、ＣＰＵ２１がデータの読み書きのために使用するアドレスバス及びデータバスから構成される。バス２４には、各種装置とデータ通信を行うためのネットワーク通信ポート２５及びＩ／Ｏポート２６が接続している。
【００８７】
オーダー端末装置２０は、ネットワーク通信ポート２５を介して総合管理装置２００に接続するとともに、Ｉ／Ｏポート２６を介してタッチパネルディスプレイ２７、カードリーダ２８、及び音声報知機２９に接続する。
【００８８】
タッチパネルディスプレイ２７は、オーダー端末装置２０に設けられており、遊技者がディスプレイ表面に触れることで、所望の飲料を注文できるように構成されている。
【００８９】
カードリーダ２８は、オーダー端末装置２０に設けられており、会員カードに記憶されている貯留価値や電子マネー用カードに記憶されている電子マネーを読み込む。
【００９０】
音声報知機２９は、オーダー端末装置２０に設けられており、飲料の注文を受け付けた場合や注文された飲料が遊技者のところまで届いた場合等に、その旨を音声で報知する。
【００９１】
次に、図１０〜図１３を参照して、物品提供装置１００によって飲料を購入する場合の総合管理装置２００等での処理について説明する。
【００９２】
図１０は、総合管理装置２００で実行される物品提供装置１００の通常処理のフローチャートである。図１１は、総合管理装置２００で実行される割込処理のフローチャートである。図１２は、物品受注処理に関するシーケンス図である。図１３は、物品搬送処理に関するシーケンス図である。
【００９３】
図１０に示す通常処理は、物品提供装置１００での飲料購入時に総合管理装置２００で実行される総合的な処理である。
【００９４】
ステップ１１では、総合管理装置２００は、物品ストッカー３０における各種飲料の在庫を確認してオーダー端末装置２０で注文可能な飲料を表示させる等、遊技者からの注文を受け付けるための準備処理を実行する。
【００９５】
ステップ１２では、総合管理装置２００は、遊技者からの飲料の注文を受け付ける物品受注処理を実行する。
【００９６】
図１２を参照して、物品受注処理の詳細について説明する。
【００９７】
遊技者がオーダー端末装置２０を操作して飲料を注文すると、オーダー端末装置２０から総合管理装置２００にオーダー情報が送信される（ステップ２０１）。オーダー情報は、会員カードや電子マネー用カード等のカードＩＤ、注文された飲料を特定する物品情報、及び貯留価値（遊技球の球数）や電子マネー等の対象価値である。
【００９８】
総合管理装置２００は、オーダー端末装置２０からのオーダー情報を受けて、遊技者が有している貯留価値や電子マネーの金額の残数を確認するため、カードＩＤと対象価値を残数要求情報として会員管理装置３００又は外部管理装置２０９に送信する（ステップ２０２）。
【００９９】
対象価値が会員カードの貯留価値である場合には、会員管理装置３００から総合管理装置２００にカードＩＤと対象価値の残数が残数情報として送信される（ステップ２０３）。対象価値が電子マネー用カードの電子マネーである場合には、外部管理装置２０９から総合管理装置２００にカードＩＤと対象価値の残数が残数情報として送信される（ステップ２０３）。
【０１００】
総合管理装置２００は、対象価値残数情報を受けて、対象価値残数が注文に相当する価値分以上あれば遊技者からの注文をオーダーリストに登録し（ステップ２０４）、カードＩＤと注文された飲料の価格に応じた対象価値の減算数を減算要求情報として会員管理装置３００又は外部管理装置２０９に送信する（ステップ２０５）。
【０１０１】
対象価値が会員カードの貯留価値である場合には、会員管理装置３００が減算要求情報に基づいて貯留価値を減算し（ステップ２０６）、減算完了情報を総合管理装置２００に送信する（ステップ２０７）。対象価値が電子マネー用カードの電子マネーである場合には、外部管理装置２０９が減算要求情報に基づいて電子マネーを減算し（ステップ２０６）、減算完了情報を総合管理装置２００に送信する（ステップ２０７）。
【０１０２】
総合管理装置２００は、減算完了情報を受けて、遊技者からの飲料の注文受付を完了したことを示す受付完了情報をオーダー端末装置２０に送信する（ステップ２０８）。この受付完了情報に基づいて、オーダー端末装置２０は音声報知機２９（図９参照）を介して、飲料の注文を受け付けた旨を遊技者に報知する（ステップ２０９）。
【０１０３】
上記のような物品受注処理の後、図１０のステップ１３において、総合管理装置２００は、注文された飲料を物品ストッカー３０から払い出して搬送装置４０によって遊技者のところまで搬送する物品搬送処理を実行する。
【０１０４】
図１３を参照して、物品搬送処理の詳細について説明する。
【０１０５】
総合管理装置２００は、注文された飲料を払い出すように物品払出要求情報を物品ストッカー３０に送信する（ステップ３０１）。
【０１０６】
物品ストッカー３０は、物品払出要求情報に基づいて注文された飲料を払い出し（ステップ３０２）、払い出した飲料の物品情報と残数情報を払出完了情報として総合管理装置２００に送信する（ステップ３０３）。
【０１０７】
総合管理装置２００は、払出完了情報を受けて、物品ストッカー３０から払い出された飲料を搬送装置４０によって搬送するように搬送要求情報を搬送制御装置６０に送信する（ステップ３０４）。
【０１０８】
搬送制御装置６０は、搬送コンベア４１、揚送装置４２、メイン搬送路４３の載置部４６、及び分岐搬送路４４の載置部４７を制御して飲料を搬送し（ステップ３０５）、注文を受け付けたオーダー端末装置２０に対応する供給通路５０まで飲料が搬送された時に搬送完了情報を総合管理装置２００に送信する（ステップ３０６）。飲料が注文を受け付けたオーダー端末装置２０に対応する供給通路５０まで搬送されたか否かは、位置検出センサ６７1〜６７N（図７参照）及び物品検出センサ６８1〜６８N（図７参照）の検出信号に基づいて判定する。
【０１０９】
総合管理装置２００は、搬送完了情報を受信した時に、遊技者からの注文を処理済みとしてオーダーリストを更新し（ステップ３０７）、飲料が供給通路５０の取出口５３（図３参照）まで到達したことを報知するために報知要求情報をオーダー端末装置２０に送信する（ステップ３０８）。この報知要求情報に基づいて、オーダー端末装置２０は音声報知機２９（図９参照）を介して、飲料が取出口５３に到達した旨を遊技者に報知する（ステップ３０９）。
【０１１０】
図１０に戻り、ステップ１４では、総合管理装置２００は、飲料搬送中にトラブルが発生した場合等に異常を報知する異常報知処理を実行する。異常報知処理は、例えば、位置検出センサ６７1〜６７N（図７参照）や物品検出センサ６８1〜６８N（図７参照）の検出情報に基づいて搬送トラブルが発生したか否かを判定し、搬送トラブルがあった場合に報知機３９（図７参照）によって報知する。
【０１１１】
ステップ１５では、総合管理装置２００は、異常状態からの復帰作業や各種データの変更等、管理者による手動操作があった場合に、それら手動操作の処理を実行する。
【０１１２】
ステップ１６では、総合管理装置２００は、温度検出装置４５によって検出された温度情報に基づいて、搬送中における飲料の温度変化を抑制可能な搬送範囲を設定する搬送範囲設定処理を実行する。ステップ１６で搬送範囲設定処理を実行した後は、ステップ１２の処理に戻る。搬送範囲設定処理の詳細については、図１４及び図１５を参照して後述する。
【０１１３】
図１１に示す割込処理は、管理者等が入力装置２１０（図５参照）によって入力操作を行った時に総合管理装置２００で優先的に実行される処理である。
【０１１４】
ステップ２１では、総合管理装置２００は、入力装置２１０からの入力操作に基づいて入力信号を処理する入力処理を実行する。
【０１１５】
ステップ２２では、総合管理装置２００は、入力装置２１０からの入力操作情報やオーダー端末装置２０等の各種装置の状態を出力装置２１１（図５参照）で表示する出力処理を実行する。
【０１１６】
ステップ２３では、総合管理装置２００は、入力装置２１０からの入力信号をオーダー端末装置２０等の各種装置に送信する送信処理を実行する。
【０１１７】
次に、図１４及び図１５を参照して、総合管理装置２００が実行する搬送範囲設定処理の詳細について説明する。
【０１１８】
図１４は、総合管理装置２００で実行される搬送範囲設定処理のフローチャートである。図１５は、飲料種類別（冷飲料・温飲料）に搬送範囲を設定するための設定テーブルである。
【０１１９】
図１４に示す搬送範囲設定処理は、一定時間毎に繰り返し実行される処理であって、搬送中における飲料の温度変化が予め設定された許容値（例えば、適温から±３℃等）の範囲内となる搬送範囲を飲料毎に設定する処理である。
【０１２０】
ステップ６１では、総合管理装置２００は、飲料の搬送範囲を設定中であることを示す設定中フラグが立っているか否かを判定する。総合管理装置２００は、設定中フラグが立っていない場合にはステップ６２の処理を実行し、それ以外の場合にはステップ６５の処理を実行する。
【０１２１】
ステップ６２では、総合管理装置２００は、飲料の搬送範囲を設定する設定タイミングであるか否かを判定する。総合管理装置２００は、前回の搬送範囲設定時から所定時間（例えば、３０分等）経過した時に設定タイミングであると判定する。総合管理装置２００は、設定タイミングである場合にはステップ６３の処理を実行し、それ以外の場合には搬送範囲設定処理を一旦終了する。
【０１２２】
ステップ６３では、総合管理装置２００は、飲料の搬送範囲を設定中であることを示す設定中フラグをセットする。
【０１２３】
ステップ６４では、総合管理装置２００は、温度検出装置４５（図１参照）に検出した温度情報を送信するよう要求する。
【０１２４】
総合管理装置２００からの要求を受けてから温度検出装置４５が温度情報を送信するまでには若干のタイムラグが生じる。そのため、ステップ６５では、総合管理装置２００は、温度検出装置４５から温度情報を受信したか否かを判定する。総合管理装置２００は、温度情報を受信済みである場合にはステップ６６の処理を実行し、温度情報を受信していない場合には搬送範囲設定処理を一旦終了する。
【０１２５】
ステップ６６では、総合管理装置２００は、図１５に示す設定テーブルを参照し、温度検出装置４５によって検出された温度情報に基づいて飲料毎（冷飲料・温飲料）の搬送範囲を取得する。
【０１２６】
図１５を参照して、設定テーブルの詳細について説明する。
【０１２７】
設定テーブルは、冷飲料及び温飲料のそれぞれについて店内温度（温度情報）に対応する搬送範囲を定めるテーブルである。搬送範囲は、各オーダー端末装置２０の端末番号によって特定される。
【０１２８】
オーダー端末装置２０の端末番号は、例えば図１７に示すように決定されており、各遊技島１０において短手方向に対応して配置される２つのオーダー端末装置２０にはそれぞれ同番号が付されている。物品ストッカー３０に最も近い遊技島１０のオーダー端末装置２０はメイン搬送路４３に近い位置から順に１〜１２であり、中央の遊技島１０のオーダー端末装置２０はメイン搬送路４３に近い位置から順に１３〜２４であり、物品ストッカー３０から最も離れた遊技島１０のオーダー端末装置２０はメイン搬送路４３に近い位置から順に２５〜３６である。
【０１２９】
図１５に示すように、冷飲料の搬送範囲は、温度検出装置４５によって検出された店内温度が２０〜２５℃と判定された場合には、全てのオーダー端末装置２０の端末番号を網羅するよう（通常搬送範囲）に設定される。店内温度が２６〜２８℃（搬送中の冷飲料の温度上昇が生じやすい（大きくなる）温度）であると判定された場合には、冷飲料の搬送範囲は、搬送中の冷飲料の温度上昇を抑制するために、店内温度が高くなるほど搬送時間が長くなるオーダー端末装置２０の端末番号から順に搬送範囲外となるように通常搬送範囲よりも狭く設定される。
【０１３０】
一方、温飲料の搬送範囲は、店内温度が２３〜２８℃であると判定された場合には、全てのオーダー端末装置２０の端末番号を網羅するよう（通常搬送範囲）に設定される。店内温度が２０〜２２℃（搬送中に温飲料の温度低下が生じやすい（大きくなる）温度）であると判定された場合には、温飲料の搬送範囲は、搬送中の温飲料の温度低下を抑制するために、店内温度が低くなるほど搬送時間が長くなるオーダー端末装置２０の端末番号から順に搬送範囲外となるように通常搬送範囲よりも狭く設定される。
【０１３１】
図１４に戻り、ステップ６７では、総合管理装置２００は、飲料毎に取得した搬送範囲を搬送範囲情報として設定する。
【０１３２】
ステップ６８では、設定された搬送範囲情報を各オーダー端末装置２０に送信して、搬送範囲設定処理を終了する。
【０１３３】
図１６は、搬送範囲情報に基づいて各オーダー端末装置２０で実行されるオーダー受付設定処理のフローチャートである。
【０１３４】
オーダー受付設定処理は、一定時間毎に繰り返し実行される処理であって、総合管理装置２００からの搬送範囲情報に基づいてオーダー端末装置２０での注文受付状態を制御する処理である。
【０１３５】
ステップ３１では、オーダー端末装置２０は、総合管理装置２００から飲料毎（冷飲料・温飲料）の搬送範囲情報を受信したか否かを判定する。オーダー端末装置２０は、搬送範囲情報を受信している場合にはステップ３２の処理を実行し、搬送範囲情報を受信していない場合にはオーダー受付設定処理を一旦終了する。
【０１３６】
ステップ３２では、オーダー端末装置２０は、自身に割り振られている端末番号が冷飲料の搬送範囲情報に含まれているか否かを判定する。オーダー端末装置２０は、自身の端末番号が搬送範囲情報に含まれていない場合にはステップ３３の処理を実行し、自身の端末番号が搬送範囲情報に含まれている場合にはステップ３４の処理を実行する。
【０１３７】
ステップ３３では、オーダー端末装置２０は、オーダー端末装置２０の注文受付状態を冷飲料注文受付規制に設定する。冷飲料注文受付規制では、オーダー端末装置２０のタッチパネルディスプレイ２７上で冷飲料を非表示にする等して、遊技者からの冷飲料の注文の受付を制限する。このように冷飲料の搬送範囲情報に含まれていないオーダー端末装置２０では冷飲料の注文を制限するので、搬送中における冷飲料の温度上昇を抑制することができる。
【０１３８】
ステップ３４では、オーダー端末装置２０は、遊技者からの注文を受け付けるようにタッチパネルディスプレイ２７に冷飲料を表示して、冷飲料注文受付規制を解除する。
【０１３９】
ステップ３５では、オーダー端末装置２０は、自身に割り振られている端末番号が温飲料の搬送範囲情報に含まれているか否かを判定する。オーダー端末装置２０は、自身の端末番号が搬送範囲情報に含まれていない場合にはステップ３６の処理を実行し、自身の端末番号が搬送範囲情報に含まれている場合にはステップ３７の処理を実行する。
【０１４０】
ステップ３６では、オーダー端末装置２０は、オーダー端末装置２０の注文受付状態を温飲料注文受付規制に設定する。温飲料注文受付規制では、オーダー端末装置２０のタッチパネルディスプレイ２７上で温飲料を非表示にする等して、遊技者からの温飲料の注文の受付を制限する。このように温飲料の搬送範囲情報に含まれていないオーダー端末装置２０では温飲料の注文を制限するので、搬送中における温飲料の温度低下を抑制することができる。
【０１４１】
ステップ３７では、オーダー端末装置２０は、遊技者からの注文を受け付けるようにタッチパネルディスプレイ２７に温飲料を表示して、温飲料注文受付規制を解除する。
【０１４２】
図１７を参照して、物品提供装置１００のオーダー端末装置２０における注文受付状態について説明する。図１７は温度検出装置４５によって検出された温度（店内温度）が２７℃である場合を例示したものである。
【０１４３】
中央の遊技島１０に設置された温度検出装置４５によって検出された温度が２７℃である場合には、図１５の設定テーブルに示すように、冷飲料の搬送範囲はオーダー端末装置２０の端末番号で１〜１１、１３〜２２、２５〜３３の範囲となり、温飲料の搬送範囲は全てのオーダー端末装置２０の端末番号を網羅する範囲となる。
【０１４４】
したがって、冷飲料の注文は、図１７の一点鎖線に示すように、搬送時間が長くなるオーダー端末装置２０（端末番号１２、２３、２４、３４〜３６）において制限されることになる。このように物品提供装置１００では、店内温度がある程度高い場合に搬送時間が長くなる範囲からの冷飲料の注文を規制するので、搬送中における冷飲料の温度上昇を抑制することができる。
【０１４５】
なお、温飲料の注文は、図１７の破線に示すように、全てのオーダー端末装置２０において制限されることがない。これは、店内温度がある程度高い場合には、搬送中に温飲料の温度がほとんど低下しないからである。
【０１４６】
物品提供装置１００では、温度検出装置４５により検出された温度に基づいて搬送中の飲料の温度変化が生じやすい温度であるかを判定し、その判定結果に基づいて搬送中の飲料の温度変化が予め設定された許容値の範囲内となる搬送範囲情報を設定し、搬送範囲情報に含まれないオーダー端末装置２０からの飲料の注文を制限する。したがって、物品提供装置１００によれば、飲食物品が適温とされる温度範囲内にある状態でオーダー元の遊技者まで搬送すること（搬送中における飲料の温度変化を抑制すること）が可能となる。
【０１４７】
飲料が冷飲料の場合には、温度検出装置４５により検出された温度が高くなるほど搬送時間が長くなるオーダー端末装置２０の端末番号から順に搬送範囲外となるように搬送範囲を狭く設定し、搬送範囲外となったオーダー端末装置２０からの冷飲料の注文を制限するので、冷飲料が適温とされる温度範囲内にある状態でオーダー元の遊技者まで搬送すること（搬送中における冷飲料の温度上昇を抑制すること）が可能となる。
【０１４８】
飲料が温飲料の場合には、温度検出装置４５により検出された温度が低くなるほど搬送時間が長くなるオーダー端末装置２０の端末番号から順に搬送範囲外となるように搬送範囲を狭く設定し、搬送範囲外となったオーダー端末装置２０からの温飲料の注文を制限するので、温冷飲料が適温とされる温度範囲内にある状態でオーダー元の遊技者まで搬送すること（搬送中における温飲料の温度低下を抑制すること）が可能となる。
【０１４９】
（第１実施形態の変形例）
図１８を参照して、第１実施形態の物品提供装置１００の変形例について説明する。
【０１５０】
第１実施形態の物品提供装置１００では、物品搬送処理において総合管理装置２００が物品ストッカー３０に飲料の払出要求を行うが、変形例における物品提供装置１００では、搬送制御装置６０が物品ストッカー３０に飲料の払出要求を行う。
【０１５１】
図１８に示すように、総合管理装置２００は、物品受注処理後に、注文された飲料を搬送するように搬送要求情報を搬送制御装置６０に送信する（ステップ３１１）。
【０１５２】
搬送制御装置６０は、搬送要求情報を受けて、注文された飲料を払い出すように物品ストッカー３０に物品払出要求情報を送信する（ステップ３１２）。
【０１５３】
物品ストッカー３０は、物品払出要求情報に基づいて注文された飲料を払い出し（ステップ３１３）、払い出した飲料の物品情報と残数情報を払出完了情報として搬送制御装置６０に送信する（ステップ３１４）。
【０１５４】
搬送制御装置６０は、搬送コンベア４１、揚送装置４２、メイン搬送路４３の載置部４６、及び分岐搬送路４４の載置部４７を制御して飲料を搬送し（ステップ３１５）、注文を受け付けたオーダー端末装置２０に対応する供給通路５０まで飲料が搬送された時に搬送完了情報を総合管理装置２００に送信する（ステップ３１６）。
【０１５５】
総合管理装置２００は、搬送完了情報を受信した時に、遊技者からの注文を処理済みとしてオーダーリストを更新し（ステップ３１７）、飲料が供給通路５０の取出口５３（図３参照）まで到達したことを報知するために報知要求情報をオーダー端末装置２０に送信する（ステップ３１８）。この報知要求情報に基づいて、オーダー端末装置２０は音声報知機２９（図９参照）を介して、飲料が取出口５３に到達した旨を遊技者に報知する（ステップ３１９）。
【０１５６】
上記のように物品提供装置１００を構成しても、第１実施形態と同様の効果を得ることができる。
【０１５７】
（第２実施形態）
図１９は、第２実施形態における物品提供装置１００の概略構成図である。
【０１５８】
第２実施形態の物品提供装置１００は、第１実施形態とほぼ同様の構成であるが、２つの物品ストッカー３０（第１物品ストッカー３０Ａ、第２物品ストッカー３０Ｂ）と、２つの搬送装置４０（第１搬送装置４０Ａ、第２搬送装置４０Ｂ）とを備える点において相違する。以下、相違点を中心に説明する。
【０１５９】
第１物品ストッカー３０Ａは遊技島１０の長手方向の一端近傍に配設され、第２物品ストッカー３０Ｂは遊技島１０の長手方向の他端近傍に配設される。
【０１６０】
第１搬送装置４０Ａは、第１物品ストッカー３０Ａから払い出された飲料を、第１搬送コンベア４１Ａ、第１揚送装置４２Ａ、第１メイン搬送路４３Ａ、及び分岐搬送路４４を介して第１搬送エリア内の遊技者のところまで搬送する。第１搬送エリアは、遊技島１０の長手方向の一側に設定された範囲であって、オーダー端末装置２０の端末番号１〜６、１３〜１８、２５〜３０を含む範囲である。
【０１６１】
第２搬送装置４０Ｂは、第２物品ストッカー３０Ｂから払い出された飲料を、第２搬送コンベア４１Ｂ、第２揚送装置４２Ｂ、第２メイン搬送路４３Ｂ、及び分岐搬送路４４を介して第２搬送エリア内の遊技者のところまで搬送する。第２搬送エリアは、遊技島１０の長手方向の他側に設定された範囲であって、オーダー端末装置２０の端末番号７〜１２、１９〜２４、３１〜３６を含む範囲である。
【０１６２】
第１搬送装置４０Ａ及び第２搬送装置４０Ｂは、１つの分岐搬送路４４を共用している。分岐搬送路４４は、第１搬送エリア側の端部が第１メイン搬送路４３Ａに接続し、第２搬送エリア側の端部が第２メイン搬送路４３Ｂに接続する。第１メイン搬送路４３Ａ及び第２メイン搬送路４３Ｂには、それぞれ載置部４６Ａ、４６Ｂが配設される。分岐搬送路４４には、第１搬送エリア内を移動する載置部４７Ａと第２搬送エリア内を移動する載置部４７Ｂがそれぞれ配設される。
【０１６３】
中央の遊技島１０に配設される分岐搬送路４４には、第１搬送エリアの搬送路内における大気温度を検出するための第１温度検出装置４５Ａが設けられ、第２搬送エリアの搬送路内における大気温度を検出するための第２温度検出装置４５Ｂが設けられる。
【０１６４】
第２実施形態の物品提供装置１００では、第１温度検出装置４５Ａによって検出された温度情報に基づいて第１エリアにおける飲料の搬送範囲を設定するとともに、第２温度検出装置４５Ｂによって検出された温度情報に基づいて第２エリアにおける飲料の搬送範囲を設定する。
【０１６５】
図２０を参照して、第２実施形態における総合管理装置２００が実行する搬送範囲設定処理について説明する。図２０の搬送範囲設定処理は、図１４の搬送範囲設定処理とほぼ同じであるが、ステップ６６の処理において異なる。なお、ステップ６１〜Ｓ６５の処理については説明を省略する。
【０１６６】
ステップ６６では、総合管理装置２００は、図２１（Ａ）の冷飲料用設定テーブルと図２１（Ｂ）の温飲料用設定テーブルの２つの設定テーブルを参照し、第１温度検出装置４５Ａ及び第２温度検出装置４５Ｂによって検出された温度情報に基づいて第１搬送エリア及び第２搬送エリアにおける飲料毎の搬送範囲を取得する。
【０１６７】
図２１（Ａ）は冷飲料用設定テーブルを示す図であり、図２１（Ｂ）は温飲料用設定テーブルを示す図である。図２１（Ａ）の冷飲料用設定テーブル及び図２１（Ｂ）の温飲料用設定テーブルは、店内温度が２０〜２８℃である場合を例示したものである。
【０１６８】
まず、図２１（Ａ）を参照して、冷飲料用設定テーブルについて説明する。
【０１６９】
図２１（Ａ）に示すように、第１温度検出装置４５Ａによって検出される第１搬送エリアの温度が２０〜２６℃であり、第２温度検出装置４５Ｂによって検出される第２搬送エリアの温度が２０〜２６℃である場合には、第１搬送装置４０Ａによる冷飲料の搬送範囲は第１搬送エリア内の全てのオーダー端末装置２０の端末番号を網羅するよう（通常搬送範囲）に設定され、第２搬送装置４０Ｂによる冷飲料の搬送範囲は第２搬送エリア内の全てのオーダー端末装置２０の端末番号を網羅するよう（通常搬送範囲）に設定される。
【０１７０】
第１搬送エリア及び第２搬送エリアの両方の温度が２７℃（搬送中に冷飲料の温度上昇を生じやすい温度）を上回った場合（第１・第２搬送エリアＮＧの場合）には、第１搬送装置４０Ａによる冷飲料の搬送範囲は、第１搬送エリアの温度が高くなるほど搬送時間が長くなるオーダー端末装置２０の端末番号から順に搬送範囲外となるように通常搬送範囲よりも狭く設定され、第２搬送装置４０Ｂによる冷飲料の搬送範囲は、第２搬送エリアの温度が高くなるほど搬送時間が長くなるオーダー端末装置２０の端末番号から順に搬送範囲外となるように通常搬送範囲よりも狭く設定される。
【０１７１】
第１搬送エリアの温度が２６℃以下であって、第２搬送エリアの温度が２７℃を上回った場合（第２搬送エリアＮＧの場合）には、第２搬送装置４０Ｂによる冷飲料の搬送範囲は、第２搬送エリアの温度に応じて搬送時間が長くなるオーダー端末装置２０の端末番号が搬送範囲外となるように通常搬送範囲よりも狭く設定され、第１搬送装置４０Ａによる冷飲料の搬送範囲は、第１搬送エリアの温度に応じて第２搬送装置４０Ｂで搬送範囲外となった範囲の少なくとも一部を補足するように通常搬送範囲よりも広く設定される。
【０１７２】
また、第２搬送エリアの温度が２６℃以下であって、第１搬送エリアの温度が２７℃を上回った場合（第１搬送エリアＮＧの場合）には、第１搬送装置４０Ａによる冷飲料の搬送範囲は、第１搬送エリアの温度に応じて搬送時間が長くなるオーダー端末装置２０の端末番号が搬送範囲外となるように通常搬送範囲よりも狭く設定され、第２搬送装置４０Ｂによる冷飲料の搬送範囲は、第２搬送エリアの温度に応じて第１搬送装置４０Ａで搬送範囲外となった範囲の少なくとも一部を補足するように通常搬送範囲よりも広く設定される。
【０１７３】
次に、図２１（Ｂ）を参照して、温飲料用設定テーブルについて説明する。
【０１７４】
図２１（Ｂ）に示すように、第１搬送エリア及び第２搬送エリアの両方の温度が２２〜２８℃である場合には、第１搬送装置４０Ａによる冷飲料の搬送範囲は第１搬送エリア内の全てのオーダー端末装置２０の端末番号を網羅するよう（通常搬送範囲）に設定され、第２搬送装置４０Ｂによる冷飲料の搬送範囲は第２搬送エリア内の全てのオーダー端末装置２０の端末番号を網羅するよう（通常搬送範囲）に設定される。
【０１７５】
第１搬送エリア及び第２搬送エリアの両方の温度が２１℃（搬送中に温飲料の温度低下を生じやすい温度）を下回った場合（第１・第２搬送エリアＮＧの場合）には、第１搬送装置４０Ａによる温飲料の搬送範囲は、第１搬送エリアの温度が低くなるほど搬送時間が長くなるオーダー端末装置２０の端末番号から順に搬送範囲外となるように通常搬送範囲よりも狭く設定され、第２搬送装置４０Ｂによる温飲料の搬送範囲は、第２搬送エリアの温度が低くなるほど搬送時間が長くなるオーダー端末装置２０の端末番号から順に搬送範囲外となるように通常搬送範囲よりも狭く設定される。
【０１７６】
第１搬送エリアの温度が２２℃以上であって、第２搬送エリアの温度が２１℃を下回った場合（第２搬送エリアＮＧの場合）には、第２搬送装置４０Ｂによる温飲料の搬送範囲は、第２搬送エリアの温度に応じて搬送時間が長くなるオーダー端末装置２０の端末番号が搬送範囲外となるように通常搬送範囲よりも狭く設定され、第１搬送装置４０Ａによる温飲料の搬送範囲は、第１搬送エリアの温度に応じて第２搬送装置４０Ｂで搬送範囲外となった範囲の少なくとも一部を補足するように通常搬送範囲よりも広く設定される。
【０１７７】
また、第２搬送エリアの温度が２２℃以上であって、第１搬送エリアの温度が２１℃を下回った場合（第１搬送エリアＮＧの場合）には、第１搬送装置４０Ａによる温飲料の搬送範囲は、第１搬送エリアの温度に応じて搬送時間が長くなるオーダー端末装置２０の端末番号が搬送範囲外となるように通常搬送範囲よりも狭く設定され、第２搬送装置４０Ｂによる温飲料の搬送範囲は、第２搬送エリアの温度に応じて第１搬送装置４０Ａで搬送範囲外となった範囲の少なくとも一部を補足するように通常搬送範囲よりも広く設定される。
【０１７８】
図２０のステップ６７において、総合管理装置２００は、上記した冷飲料用設定テーブル及び温飲料設定テーブルから取得した搬送範囲を搬送範囲情報として設定する。そして、ステップ６８において、設定された搬送範囲情報を各オーダー端末装置２０に送信して、搬送範囲設定処理を終了する。なお、搬送範囲情報に基づいて各オーダー端末装置２０で実行されるオーダー受付設定処理は第１実施形態と同じである（図１６参照）。
【０１７９】
図２２を参照して、物品提供装置１００のオーダー端末装置２０における注文受付状態について説明する。図２２は、第１温度検出装置４５Ａによって検出された第１搬送エリアの温度が２８℃であり、第２温度検出装置４５Ｂによって検出された第２搬送エリアの温度が２５℃である場合を例示したものである。
【０１８０】
第１搬送エリアの温度が２８℃であり、第２搬送エリアの温度が２５℃である場合には、図２１（Ｂ）の網掛部に示すように、第１搬送装置４０Ａによる温飲料の搬送範囲は通常搬送範囲（端末番号で１〜６、１３〜１８、２５〜３０）に設定され、第２搬送装置４０Ｂによる温飲料の搬送範囲も通常搬送範囲（端末番号で７〜１２、１９〜２４、３１〜３６）の範囲に設定される。このように全てのオーダー端末装置２０において温飲料の注文の受け付けが可能となり、図２２の破線で示す第１搬送エリア内においては第１搬送装置４０Ａを介して飲料が搬送され、図２２の一点鎖線で示す第２搬送エリア内においては第２搬送装置４０Ｂを介して飲料が搬送される。
【０１８１】
一方、図２１（Ａ）の網掛部に示すように、第１搬送装置４０Ａによる冷飲料の搬送範囲は端末番号で１〜６、１３〜１８、２５〜２８の範囲となって通常搬送範囲よりも狭く設定され、第２搬送装置４０Ｂによる冷飲料の搬送範囲は第１搬送装置４０Ａで搬送範囲外となった範囲（端末番号２９、３０）を含む７〜１２、１９〜２４、２９〜３６の範囲となって通常搬送範囲よりも広く設定される。これにより端末番号２９、３０のオーダー端末装置２０で冷飲料の注文が制限されるのを回避でき、全てのオーダー端末装置２０において冷飲料の注文の受け付けが可能となる。
【０１８２】
第１搬送エリアの温度が２８℃の場合には、第１搬送装置４０Ａによって冷飲料を端末番号２９、３０の位置まで搬送すると冷飲料の温度上昇を招いてしまうが、第２実施形態では第１搬送エリアよりも低温の第２搬送エリアにおける第２搬送装置４０Ｂによって冷飲料を端末番号２９、３０の位置まで搬送するので、搬送中の冷飲料の温度上昇が抑制される。
【０１８３】
第２実施形態の物品提供装置１００では、第１温度検出装置４５Ａにより検出された温度に基づいて第１搬送エリアにおける飲料の搬送範囲を設定し、第２温度検出装置４５Ｂにより検出された温度に基づいて第２搬送エリアにおける飲料の搬送範囲を設定する。そして、一方の搬送エリアの温度が搬送中に飲料の温度変化が生じやすい温度であって、他方の提供エリアの温度が搬送中に飲料の温度変化が生じにくい温度である場合には、一方の搬送エリアにおける飲料の搬送範囲を搬送時間が長くなるオーダー端末装置２０の端末番号が搬送範囲外となるように狭く設定し、他方の搬送エリアにおける飲料の搬送範囲を、一方の搬送エリアにおいて搬送範囲外となった範囲の少なくとも一部を補うように広く設定する。したがって、第２実施形態の物品提供装置１００によれば、搬送中における飲料の温度変化を抑制できるだけでなく、飲料の注文が制限されるオーダー端末装置２０の数を可能な限り少なくすることができる。
【０１８４】
なお、本発明は上記の実施形態に限定されずに、その技術的な思想の範囲内において種々の変更がなしうることは明白である。
【０１８５】
第１実施形態の物品提供装置１００の総合管理装置２００は、温度検出装置４５によって検出された温度に基づいて搬送中における飲料の温度変化を抑制可能な搬送範囲を設定するように構成したが、検出された温度と物品ストッカー３０での保管時の飲料温度との温度差に基づいて搬送中における飲料の温度変化を抑制可能な搬送範囲を設定するように構成してもよい。この場合には、温度差が大きくなるほど、搬送時間が長くなるオーダー端末装置２０の端末番号から順に搬送範囲外となるように通常搬送範囲よりも狭く設定される。また、第２実施形態の物品提供装置１００の総合管理装置２００についても同様に構成することができる。
【産業上の利用可能性】
【０１８６】
本発明は、複数の遊技機が設置される遊技場に適用することができる。遊技機としては、上記した実施形態に示されるようなパチンコ遊技機に限られるものではなく、アレンジボール遊技機、雀球遊技機、及びスロットマシン等の全ての遊技機が含まれる。
【符号の説明】
【０１８７】
１００  物品提供装置
１  遊技機
１０  遊技島
１３  補給樋
２０  オーダー端末装置
３０  物品ストッカー
４０  搬送装置
４１  搬送コンベア
４２  揚送装置
４３  メイン搬送路
４４  分岐搬送路
４５  温度検出装置
５０  供給通路
５１  分岐供給通路
５２  流下通路
５３  取出口
【図１】
2011078494.tif 000003
【図２】
2011078494.tif 000004
【図３】
2011078494.tif 000005
【図４】
2011078494.tif 000006
【図５】
2011078494.tif 000007
【図６】
2011078494.tif 000008
【図７】
2011078494.tif 000009
【図８】
2011078494.tif 000010
【図９】
2011078494.tif 000011
【図１０】
2011078494.tif 000012
【図１１】
2011078494.tif 000013
【図１２】
2011078494.tif 000014
【図１３】
2011078494.tif 000015
【図１４】
2011078494.tif 000016
【図１５】
2011078494.tif 000017
【図１６】
2011078494.tif 000018
【図１８】
2011078494.tif 000019
【図１９】
2011078494.tif 000020
【図２０】
2011078494.tif 000021
【図２１】
2011078494.tif 000022
【図１７】
2011078494.tif 000023
【図２２】
2011078494.tif 000024